(57)【要約】      （修正有）【課題】車両ランプに用いられ、車両ランプが二種の異なる色の光を投射し、反応速度が迅速で、小型で、車両ランプに容易に配置可能な揺動アーム式変色装置を提供する。【解決手段】揺動ユニット３０は、少なくとも一つの枢軸４０により仮想軸線Ｌを中心に取り付け座２０に揺動可能に設けられている。揺動ユニット３０は、カラーレンズ３４および仮想軸線Ｌに対して偏心した偏心部材３６を有する。回転駆動ユニット５０は、取り付け座２０に設けられている回転駆動装置５２、回転駆動装置５２に設けられている揺動アーム５４、および揺動アーム５４に対して相対回転可能に揺動アーム５４に接続されている引っ張り棒５６を有する。揺動アーム５４は、回転駆動装置５２に駆動され回転し引っ張り棒５６を動かす。さらに、偏心部材３６を移動させることによりカラーレンズ３４が作用位置と非作用位置との間で揺動させる。【選択図】図１
0003190260.tif 000002
【実用新案登録請求の範囲】
【請求項１】
取り付け座と、
少なくとも一つの枢軸により仮想軸線を中心として前記取り付け座に揺動可能に設けられており、カラーレンズおよび前記仮想軸線から偏心する偏心部材を含む揺動ユニットと、
前記取り付け座に設けられている回転駆動装置と前記回転駆動装置に設けられている揺動アーム、および、前記揺動アームに対して前記揺動アームに回転可能に接続されている引っ張り棒を有する回転駆動ユニットと、を備え
前記引っ張り棒は、前記偏心部材に回転可能に接続されており、
前記揺動アームは、前記回転駆動装置に駆動され、前記引っ張り棒を動かし、前記偏心部材を移動させることにより、作用位置と非作用位置との間で前記カラーレンズを揺動させることを特徴とする揺動アーム式変色装置。
【請求項２】
前記回転駆動装置は、サーボ機であることを特徴とする請求項１に記載の揺動アーム式変色装置。
【請求項３】
前記引っ張り棒は、両端に回転軸および嵌め込みリングが設けられており、
前記回転軸は、前記揺動アームに穿設されており、
前記嵌め込みリングは、前記偏心部材に嵌め込まれていることを特徴とする請求項１または２に記載の揺動アーム式変色装置。
【請求項４】
前記揺動ユニットは二つの座部をさらに有し、
前記カラーレンズは前記二つの座部に固定されており、
前記偏心部材は二つの座部の間に設けられており、
前記取り付け座は二つの枢接部を有し、
前記二つの座部は、前記二つの枢接部の間に設けられており、それぞれ前記枢軸により前記二つの枢接部に設けられていることを特徴とする請求項１または２に記載の揺動アーム式変色装置。
【請求項５】
各前記枢軸は、ボルトであることを特徴とする請求項４に記載の揺動アーム式変色装置。
【請求項６】
前記引っ張り棒は、両端に回転軸および嵌め込みリングが設けられており、
前記回転軸は、前記揺動アームに穿設されており、
前記嵌め込みリングは、前記偏心部材に嵌め込まれていることを特徴とする請求項５に記載の揺動アーム式変色装置。
【請求項７】
前記取り付け座は、載置部および二つの枢接部を有し、
前記二つの枢接部は、前記載置部から同一方向に向いて延伸しており、
前記回転駆動装置は、前記載置部に設けられ、
前記揺動ユニットは、前記二つの枢接部の間に設けられ、前記二つの枢接部と枢接することを特徴とする請求項１または２に記載の揺動アーム式変色装置。
【請求項８】
前記揺動ユニットは二つの座部をさらに有し、
前記カラーレンズは前記二つの座部に固定されており、
前記偏心部材は前記二つの座部の間に設けられており、
前記二つの座部は、それぞれ前記枢軸により前記二つの枢接部に設けられていることを特徴とする請求項７に記載の揺動アーム式変色装置。
【請求項９】
各前記枢軸は、ボルトであることを特徴とする請求項８に記載の揺動アーム式変色装置。
【請求項１０】
前記引っ張り棒は、両端に回転軸および嵌め込みリングが設けられており、
前記回転軸は、前記揺動アームに穿設されており、
前記嵌め込みリングは、前記偏心部材に嵌め込まれていることを特徴とする請求項９に記載の揺動アーム式変色装置。
【考案の詳細な説明】
【技術分野】
【０００１】
本考案は、車両のランプに用いられる変色装置に関し、特に、車両のランプに用いられる揺動アーム式変色装置に関する。
【背景技術】
【０００２】
特許文献１に記載の発明では、ランプの色温度の回転変化装置が提供されている。主な回転装置は、光源を有するランプ座が取り付けられている。回転装置にカラーレンズを設置することにより、回転装置を利用してカラーレンズを回転させる。よって、ランプの光線が、光源の本来の色を表す。また、カラーレンズによりカラーレンズにおける光線の色温度を変えることにより異種の色を変えることができる。
【０００３】
しかしながら、空間配置のため、上述したランプの色温度の回転変化装置は、一つの傘歯車セットが設けられていることにより、モータとカラーレンズとの間に伝動が行われる。このような方法は、反応速度が遅いだけでなく、比較的に大きいねじり力の出力と相対的に体積の大きいモータを使用する必要がある。このほかに、頻繁かつ快速にカラーレンズの位置を変化するときに、カラーレンズがその他の部材と衝突する騒音が出るだけでなく、カラーレンズの破損をもたらし、構成上に技術的問題が発生しやすくなるおそれがある。
【先行技術文献】
【特許文献】
【０００４】
【特許文献１】台湾特許第Ｍ４６１７３４号明細書
【考案の概要】
【考案が解決しようとする課題】
【０００５】
本考案は、上述の問題に鑑みてなされたものであり、その目的は、車両のランプに用いられ、車両のランプが二種の異なる色の光を投射し、反応速度が迅速であり、小型であり、車両のランプに容易に配置可能であり、揺動アーム式変色装置を提供することにある。
【課題を解決するための手段】
【０００６】
上述の目的を実現するために、本考案の揺動アーム式変色装置は、取り付け座、揺動ユニット、および回転駆動ユニットを含む。揺動ユニットは、少なくとも一つの枢軸により仮想軸線を中心に取り付け座に揺動可能に設けられている。揺動ユニットは、カラーレンズおよび仮想軸線に対して偏心した偏心部材を有する。回転駆動ユニットは、取り付け座に設けられている回転駆動装置、回転駆動装置に設けられている揺動アーム、および揺動アームに対して相対回転可能に揺動アームに接続されている引っ張り棒を有する。そのうちの、引っ張り棒は、偏心部材に回転可能に接続されている。揺動アームは、回転駆動装置に駆動され回転し引っ張り棒を動かす。さらに、偏心部材を移動させることによりカラーレンズが作用位置と非作用位置との間で揺動させる。
【０００７】
よって、揺動アーム式変色装置は、取り付け座をもって車両用ランプのランプ座に固定することができ、並びにカラーレンズが作用位置にあるとき、車両用ランプの光源と相対し、且つ非作用位置にあるときは、光源と相対しない。よって、使用者は、カラーレンズの位置を切り替えることにより選択的に車両用ランプが二種類の異なる色の光線を発させる。また、回転駆動装置は、揺動アームが比較的に小角度に回動するよう、駆動するだけで、揺動ユニットを比較的に大角度に揺動させる。よって、揺動アーム式変色装置は、反応速度が速くなるだけでなく、比較的に小さいねじり力を出力し、体積が相対的に小さい回転駆動装置を使用することで、車両用ランプに配置しやすくなる。本考案が、サーボ機またはその他の同価設備を回転駆動ユニットとして使用する場合、カラーレンズの位置および回転速度を正確に制御することができるだけでなく、騒音の引き起こしと破損問題の発生を免れることができる。
【図面の簡単な説明】
【０００８】
【図１】本考案の一実施形態による揺動アーム式変色装置を示す分解斜視図である。
【図２】本考案の一実施形態による揺動アーム式変色装置のカラーレンズが作用位置にある状態を示す側面図である。
【図３】本考案の一実施形態による揺動アーム式変色装置のカラーレンズが非作用位置にある状態を示す側面図である。
【図４】本考案の一実施形態による揺動アーム式変色装置のカラーレンズが作用位置にある状態を示す斜視図である。
【考案を実施するための形態】
【０００９】
本考案の揺動アーム式変色装置の詳細な構造、特徴、組立または使用方式を、後述の実施形態で詳細に説明する。但し、本考案における詳細な説明および実施形態による特定の実施形態は、単なる本考案を説明するためのものであって、本考案の実用新案登録請求の範囲を限定するものではない。
【００１０】
（一実施形態）
本考案の実施形態を図面に基づいて説明する。
図に示すように、本考案の一実施形態による揺動アーム式変色装置１０は、取り付け座２０、揺動ユニット３０、二つの枢軸４０、および回転駆動ユニット５０を含む。揺動アーム式変色装置１０は、車両用ランプ６０のライト受口６１とレンズ６２との間に設けられており、ランプ座６１内には、レンズ６２の方向に向けて光線を発する光源６３（たとえば電球である）が設けられている。
【００１１】
取り付け座２０は、それぞれ平板状を呈する載置部２２、固定部２４および二つの枢接部２６を有する。載置部２２は、ランプ座６１の頂部に設置されており、固定部２４と二つの枢接部２６は、載置部２２から同一方向（本実施形態は下方に向いている）に向いて延伸している。固定部２４は、二つのネジによりランプ座６１の二つの固定穴６１２に固定されており、二つの枢接部２６には、それぞれネジ穴２６２を形成する。
【００１２】
揺動ユニット３０は、二つの座部３２とカラーレンズ３４および棒状を呈する偏心部材３６を有する。各座部３２は、嵌め溝３２２、嵌め溝３２２の上方に形成されている枢接穴３２４、および嵌め溝３２２の片側に設けられている嵌接部３２６を有する。カラーレンズ３４は、二つの座部３２の嵌め溝３２２に固定されており、偏心部材３６は、その両端が二つの嵌接部３２６内に入ることにより二つの座部３２の間に設けられている。
【００１３】
二つの座部３２は、取り付け座２０における二つの枢接部２６の間に設けられており、二つの枢軸４０は、それぞれ二つの枢接部２６を貫通し、並びにそれぞれ二つの座部３２の枢接穴３２４を貫通することにより、二つの座部３２を二つの枢接部２６に設ける。よって、揺動ユニット３０は、仮想軸線Ｌを中心に取り付け座２０に揺動可能に設けられ、且つ偏心部材３６は、仮想軸線Ｌから偏心している。
【００１４】
本実施形態において、各枢軸４０は、ボルトであり、先に枢接部２６のネジ穴２６２と螺接してから、座部３２の枢接穴３２４に貫通する。このような設置方法は、
揺動ユニット３０を取り付け座２０に容易に枢接することができると同時に、各枢軸４０を取り付け座２０に固定することができる。但し、揺動ユニット３０を取り付け座２０に枢設する方法は、本実施形態の提供されている方法に限られていない。
【００１５】
回転駆動ユニット５０は、回転駆動装置５２、揺動アーム５４、および引っ張り棒５６を含む。本実施形態において、回転駆動装置５２は、サーボ機であり、取り付け座２０の載置部２２に固設されている。揺動アーム５４は、一端が回転駆動装置５２の出力軸に固設されており、他端が引っ張り棒５６に対して相対回転可能に接続されている。
【００１６】
本実施形態において、引っ張り棒５６の両端には、それぞれ回転軸５６２および嵌め込みリング５６４が設けられている。回転軸５６２は、揺動アーム５４を貫通しており、嵌め込みリング５６４は、偏心部材３６に嵌め込まれている。但し、引っ張り棒５６の設計は、上記に限らず、引っ張り棒５６の両端が、揺動アーム５４および偏心部材３６に回転可能に接続することができればよい。
【００１７】
取り付け座２０、揺動アーム５４、引っ張り棒５６および揺動ユニット３０は、四つの棒が連接する機構を構成する。揺動アーム５４は、回転駆動装置５２の駆動を受けることにより、第一位置Ｐ１と第二位置Ｐ２との間で回転し、並びに引っ張り棒５６を動かし、さらに、揺動ユニット３０を動かす。揺動アーム５４が、第一位置Ｐ１にあるとき、カラーレンズ３４は、作用位置Ｐ３にある。このとき、カラーレンズ３４は、二つの座部３２から下方に延伸し、且つ車両用ランプ６０の光源６３と相対する。揺動アーム５４が、第一位置Ｐ１から第二位置Ｐ２まで回転したとき、引っ張り棒５６は、偏心部材３６を引っ張って上方に移動させることにより、揺動ユニット３０は、仮想軸線Ｌを中心にレンズ６２の方向に向いて揺動する。さらに、カラーレンズ３４が作用位置Ｐ３から非作用位置Ｐ４まで揺動される。このときにカラーレンズ３４は、光源６３と相対しない。
【００１８】
揺動アーム式変色装置１０は、使用者にカラーレンズ３４の位置切り替えを提供する。カラーレンズ３４が非作用位置Ｐ４にあるとき、車両用ランプ６０の発射する光線は、光源６３の本来の光色を呈する。カラーレンズ３４が作用位置Ｐ３にあるとき、光源６３の光線は、カラーレンズ３４により色温度を変えることで、車両用ランプ６０が異種の色の光線を発させる。一般的に、車両用ランプ６０の光源６３は、白色光を発し、カラーレンズ３４は、光源６３と相対するとき、白色光を黄色光に変える。
【００１９】
説明すべきことは、回転駆動装置５２は、サーボ機に限らない。たとえば、一般的なモータであっても構わない。上述した揺動アーム５４を駆動して第一位置Ｐ１と第二位置Ｐ２とに往復回転する機能を果たせばよい。但し、サーボ機は、モータのほかに、角度検出器、制御回路および歯車減速ユニットをさらに設けることによりカラーレンズ３４の角度を正確に制御するだけでなく、カラーレンズ３４がその他の部材と衝突して破損することを防止することができる。また、歯車減速ユニットの作用によりサーボ機内に低電力のモータを設置するだけで、直ちに十分なねじり力を発生することにより上述の駆動が行われ、並びにカラーレンズ３４が適切な揺動速度を持たせることで、過大な騒音が生じることを防止することができる。よって、回転駆動装置５２は、サーボ機であることが望ましい。
【００２０】
回転駆動装置５２は、サーボ機であるか否かにかかわらず、揺動アーム５４を駆動することにより比較的に小角度に回転するだけで、揺動ユニット３０が比較的に大きい角度で揺動される。また、回転駆動ユニット５０は、偏心部材３６に力を作用するため、それが仮想軸線Ｌとの間にテンションアームを形成する。よって、揺動アーム式変色装置１０は、反応速度が速くなるだけでなく、体積が小さいため、車両用ランプに簡単に配置することができる。
【００２１】
上述した実施形態において、揺動アーム式変色装置１０は、ランプ座６１の頂部に設置されており、カラーレンズ３４は、取り付け座２０の下方に位置する。但し、揺動アーム式変色装置１０の設置する位置および呈出する方位は、上述した様態に限らない。車両用ランプの発する色を切り替える機能でさえ果たせばよい。たとえば、揺動アーム式変色装置１０は、ランプ座の底部に設け、且つ上述の実施形態と上下の逆転する方位に呈することにより、カラーレンズ３４が取り付け座２０の上方に位置させることも可能である。
【００２２】
最後に、再び説明すべきことは、本考案の実施形態に記載されている構成部材は、考案を説明するためであり、本考案の範囲を限定するものではない。他の部材への等価置換または変化は、いずれも本考案の実用新案登録請求の範囲に属する。
【符号の説明】
【００２３】
１０  揺動アーム式変色装置
２０  取り付け座
２２  載置部
２４  固定部
２６  枢接部
２６２  ネジ穴
３０  揺動ユニット
３２  座部
３２２  嵌め溝
３２４  枢接穴
３２６  嵌接部
３４  カラーレンズ
３６  偏心部材
４０  枢軸
５０  回転駆動ユニット
５２  回転駆動装置
５４  揺動アーム
５６  引っ張り棒
５６２  回転軸
５６４  嵌め込みリング
６０  車両用ランプ
６１  ランプ座
６１２  固定穴
６２  レンズ
６３  光源
Ｐ１  第一位置
Ｐ２  第二位置
Ｐ３  作用位置
Ｐ４  非作用位置
Ｌ  仮想軸線
【図１】
0003190260.tif 000003
【図２】
0003190260.tif 000004
【図３】
0003190260.tif 000005
【図４】
0003190260.tif 000006